(57)【特許請求の範囲】
【請求項１】
第１コマの前にラボ用にリザーブされた第１のリザーブエリアと、最終コマの後ろにラボ用にリザーブされた第２のリザーブエリアを有する現像済みスチル写真フイルムを一定の速度で搬送すると共に該フイルムのコマ画像をラインセンサによって読み取り、該ラインセンサのＲ，Ｇ，Ｂ出力電圧をアナログアンプで増幅するようにしたフイルムスキャナの露出制御方法において、前記第１のリザーブエリア直前の第１のネガベース領域、前記第１のリザーブエリア直後の第２のネガベース領域、前記第２のリザーブエリア直前の第３のネガベース領域、及び前記第２のリザーブエリア直後の第４のネガベース領域のうちの、少なくとも一つを前記ラインセンサで読み取り、前記アナログアンプから出力されるＲ，Ｇ，Ｂ出力電圧を計測し、
前記計測したＲ，Ｇ，Ｂ出力電圧の各最大値が所定の基準電圧に一致するように前記アナログアンプのゲイン又は前記アナログアンプのゲインとラインセンサの露光時間とを制御し、
その後、各コマの画像を読み取ることを特徴とするフイルムスキャナの露出制御方法。
【請求項２】
前記第１乃至第４のネガベース領域のうちの複数の領域において、初期設定された所定の露出状態で取得したＲ，Ｇ，Ｂ出力電圧の大きさに基づいて適正なネガベース領域を判別し、
前記判別した適正なネガベース領域の読み取り時に前記アナログアンプから出力されるＲ，Ｇ，Ｂ出力電圧の各最大値が所定の基準電圧に一致するように前記アナログアンプのゲイン又は前記アナログアンプのゲインとラインセンサの露光時間とを制御し、
その後、各コマの画像を読み取ることを特徴とする請求項１のフイルムスキャナの露出制御方法。
【請求項３】
請求項２に記載のフイルムスキャナの露出制御方法において、前記第１乃至第４のネガベース領域のうちの複数の領域において取得した各位置における各々のＲ出力電圧の最大値を比較し、
Ｒ出力電圧の最大値が最も大きい値を示す領域にて前記アナログアンプから出力されるＲ，Ｇ，Ｂ出力電圧の各最大値が所定の基準電圧に一致するように前記アナログアンプのゲイン又は前記アナログアンプのゲインとラインセンサの露光時間とを制御し、
その後、各コマの画像を読み取ることを特徴とするフイルムスキャナの露出制御方法。
【請求項４】
前記第１乃至第４のネガベース領域のうちの複数の領域において取得したＲ，Ｇ，Ｂ出力電圧について、各ネガベース領域毎にＲ，Ｇ，Ｂそれぞれの出力電圧の各最大値が所定の基準電圧に一致するように前記アナログアンプのゲイン又は前記アナログアンプのゲインとラインセンサの露光時間とを制御するとともに、このときの前記アナログアンプのゲイン又は前記アナログアンプのゲインとラインセンサの露光時間とを複数の領域に対応して記憶し、
前記複数の領域に対応して記憶した前記ゲイン又は露光時間のうちの最も小さい値を該フイルムの適正なゲイン又はゲインと露光時間として採用し、
これに基づいて、前記アナログアンプから出力されるＲ，Ｇ，Ｂ出力電圧の各最大値が所定の基準電圧に一致するように前記アナログアンプのゲイン又は前記アナログアンプのゲインとラインセンサの露光時間とを制御し、
その後、各コマの画像を読み取ることを特徴とする請求項１のフイルムスキャナの露出制御方法。
【請求項５】
請求項４に記載のフイルムスキャナの露出制御方法において、前記第１乃至第４のネガベース領域のうちの複数の領域に対応して記憶した前記ゲインのうちのＲチャンネルのアナログアンプのゲインを比較し、
Ｒチャンネルのアナログアンプのゲインが最も小さい値を示す領域に対応して記憶した前記アナログアンプのゲイン又は前記アナログアンプのゲインとラインセンサの露光時間を、該フイルムの適正なネガベースのゲイン又はゲインと露光時間として採用し、
これに基づいて、前記アナログアンプのゲイン又は前記アナログアンプのゲインとラインセンサの露光時間とを制御し、
その後、各コマの画像を読み取ることを特徴とするフイルムスキャナの露出制御方法。
【請求項６】
初期設定された所定の露出状態で、前記第１のリザーブエリア直前の第１のネガベース領域を前記ラインセンサで読み取り、前記アナログアンプから出力される第１のネガベース領域の第１のＲ，Ｇ，Ｂ出力電圧を計測するとともに該第１のＲ，Ｇ，Ｂ出力電圧を記憶し、
前記アナログアンプから出力される前記第１のＲ，Ｇ，Ｂ出力電圧の各最大値が所定の基準電圧に一致するように前記アナログアンプのゲイン又は前記アナログアンプのゲインとラインセンサの露光時間とを制御し、
その後、各コマの画像を読み取り、
次に、再び初期設定された所定の露出状態で、前記第２のリザーブエリア直後の第４のネガベース領域を前記ラインセンサで読み取り、前記アナログアンプから出力される第４のネガベース領域での第４のＲ，Ｇ，Ｂ出力電圧を計測し、
前記第４のＲ，Ｇ，Ｂ出力電圧が前記記憶した第１のＲ，Ｇ，Ｂ出力電圧よりも高い場合には、該第４のＲ，Ｇ，Ｂ出力電圧の各最大値が所定の基準電圧に一致するように前記アナログアンプのゲイン又は前記アナログアンプのゲインとラインセンサの露光時間とを制御し、
その後、各コマの画像を読み取ることを特徴とする請求項１のフイルムスキャナの露出制御方法。
【請求項７】
請求項６に記載のフイルムスキャナの露出制御方法において、前記第４のネガベース領域での第４のＲ出力電圧の最大値が前記第１のネガベース領域での前記記憶した第１のＲ出力電圧の最大値よりも大きい場合には、該第４のＲ，Ｇ，Ｂ出力電圧の各最大値が所定の基準電圧に一致するように前記アナログアンプのゲイン又は前記アナログアンプのゲインとラインセンサの露光時間とを制御し、
その後、各コマの画像を読み取ることを特徴とするフイルムスキャナの露出制御方法。
【請求項８】
長尺状のスチル写真フイルムが出入りする開口部と前記フイルムが巻回される単一のスプールとを有するフイルムカートリッジから、前記スチル写真フイルムを一定の速度で搬送すると共に該フイルムのコマ画像をラインセンサによって読み取り、該ラインセンサのＲ，Ｇ，Ｂ出力電圧をアナログアンプで増幅するようにしたフイルムスキャナの露出制御方法において、
前記スチル写真フイルムの第１コマの前にラボ用にリザーブされたリザーブエリア直前のネガベース領域内で、次式
Ｗ＜Ｘ＜Ｌ─Ｗ
但し、Ｗは前記開口部からカートリッジ内に進入する光によってフイルム
が露光され得る部分のフイルム長さ方向の露光最大幅
Ｌは前記ネガベース領域近傍のフイルムが前記スプールに１周巻回
される長さ
を満たす距離（Ｘ）だけ離間する少なくとも２箇所の位置で、それぞれ初期設定された所定の露出状態で前記ラインセンサによって読み取りを行い、
前記アナログアンプから出力されるＲ，Ｇ，Ｂ出力電圧を計測し、
前記計測したＲ，Ｇ，Ｂ出力電圧のうち大きな値をとる位置を適正なネガベース位置として判別し、
前記判別した適正なネガベース位置の読み取り時に前記アナログアンプから出力されるＲ，Ｇ，Ｂ出力電圧の各最大値が所定の基準電圧に一致するように前記アナログアンプのゲイン又は前記アナログアンプのゲインとラインセンサの露光時間とを制御し、
その後、各コマの画像を読み取ることを特徴とするフイルムスキャナの露出制御方法。
【請求項９】
請求項８に記載のフイルムスキャナの露出制御方法において、各位置における各々のＲ出力電圧の最大値を比較し、
最も大きい値を示す位置で前記アナログアンプから出力されるＲ，Ｇ，Ｂ出力電圧の各最大値が所定の基準電圧に一致するように前記アナログアンプのゲイン又は前記アナログアンプのゲインとラインセンサの露光時間とを制御し、
その後、各コマの画像を読み取ることを特徴とするフイルムスキャナの露出制御方法。
【請求項１０】
長尺状のスチル写真フイルムが出入りする開口部と前記フイルムが巻回される単一のスプールとを有するフイルムカートリッジから、前記スチル写真フイルムを一定の速度で搬送すると共に該フイルムのコマ画像をラインセンサによって読み取り、該ラインセンサのＲ，Ｇ，Ｂ出力電圧をアナログアンプで増幅するようにしたフイルムスキャナの露出制御方法において、
前記スチル写真フイルムの第１コマの前にラボ用にリザーブされたリザーブエリア直前のネガベース領域内の第１の位置を前記ラインセンサで読み取り、
前記アナログアンプから出力されるＲ，Ｇ，Ｂ出力電圧の各最大値が所定の基準電圧に一致するように前記アナログアンプのゲイン又は前記アナログアンプのゲインとラインセンサの露光時間とを制御する第１回目のキャリブレーションを実行し、
その後、前記リザーブエリア直前のネガベース領域内であって、前記第１の位置から、次式
Ｗ＜Ｘ＜Ｌ─Ｗ
但し、Ｗは前記開口部からカートリッジ内に進入する光によってフイルムが露光され得る部分のフイルム長さ方向の露光最大幅
Ｌは前記ネガベース領域近傍のフイルムが前記スプールに１周巻回される長さ
を満たす距離（Ｘ）だけ離間する第２の位置を、前記第１回目のキャリブレーションがされた状態で前記ラインセンサによって読み取り、
前記第２の位置における読み取り時に前記アナログアンプから出力されるＲ，Ｇ，Ｂ出力電圧が大きくなる場合には、前記アナログアンプから出力されるＲ，Ｇ，Ｂ出力電圧の各最大値が所定の基準電圧に一致するように前記アナログアンプのゲイン又は前記アナログアンプのゲインとラインセンサの露光時間とを制御する第２回目のキャリブレーションを実行し、
前記アナログアンプから出力されるＲ，Ｇ，Ｂ出力電圧が等しいか又は小さくなる場合には、前記第２回目のキャリブレーションを省略し、
その後、各コマの画像を読み取ることを特徴とするフイルムスキャナの露出制御方法。
【請求項１１】
請求項１０に記載のフイルムスキャナの露出制御方法において、前記第２の位置における読み取り時に前記アナログアンプから出力されるＲ，Ｇ，Ｂ出力電圧のうちＲ出力電圧が等しいか又は小さくなる場合には、前記第２回目のキャリブレーションを省略し、
その後、各コマの画像を読み取ることを特徴とするフイルムスキャナの露出制御方法。
【請求項１２】
請求項１０に記載のフイルムスキャナの露出制御方法において、前記距離（Ｘ）だけ離間する第１の位置及び第２の位置は、それぞれ前記フイルムにバーコード等の光学情報が記録される記録領域内に位置させることを特徴とするフイルムスキャナの露出制御方法。
【発明の詳細な説明】
【０００１】
【発明の属する技術分野】
本発明はフイルムスキャナの露出制御方法に係り、特に現像済みネガフイルムの画像をラインセンサで読み取るフイルムスキャナの露出制御方法に関する。
【０００２】
【従来の技術】
従来、現像済みスチル写真フイルムをＣＣＤ等のイメージセンサで撮像し、写真フイルムの画像を画像信号に変換し、これをモニタＴＶに出力してフイルム画像を表示するフイルム画像入力装置は、ＷＯ９０／０４３０１、特開平５─７５９２２号公報等において公知である。この種のフイルムスキャナの露出制御は、機械的な絞りによって行われるのが普通であり、ＣＣＤラインセンサの電子シャッタによって露出制御を行うものはない。
【０００３】
これに対し、特願平６─１０１１８９号明細書には、コマ画像の読み取り前に、フイルムのネガベース（完全に未露光の部分）をラインセンサで読み取り、該ラインセンサから出力されるネガベースのＲ，Ｇ，Ｂ出力電圧を基にラインセンサの露光時間とアナログアンプのゲインとを制御するフイルムスキャナの露出制御方法が提案されている。
【０００４】
【発明が解決しようとする課題】
しかしながら、通常、現像済み写真フイルムにおいては、ネガベースとして保証された部分が存在しないという問題がある。上記のようにラインセンサの電子シャッタによって露出制御を行うためには、適正なネガベースのＲ，Ｇ，Ｂ出力電圧に基づくキャリブレーションが必要であり、そのためにはフイルムにおける最適なネガベース部分を如何にして判断し、その読み取りを行うかは極めて重要な問題である。
【０００５】
本発明は、このような事情に鑑みてなされたもので、フイルムにおいてネガベースである確率の高い領域を予め特定し、その中から最適なネガベースを判別して正しい露出制御を実現するフイルムスキャナの露出制御方法を提供することを目的とする。
【０００６】
【課題を解決する為の手段】
本発明は、前記目的を達成する為に、第１コマの前にラボ用にリザーブされた第１のリザーブエリアと、最終コマの後ろにラボ用にリザーブされた第２のリザーブエリアを有する現像済みスチル写真フイルムを一定の速度で搬送すると共に該フイルムのコマ画像をラインセンサによって読み取り、該ラインセンサのＲ，Ｇ，Ｂ出力電圧をアナログアンプで増幅するようにしたフイルムスキャナの露出制御方法において、初期設定された所定の露出状態で、前記第１のリザーブエリア直前の第１のネガベース領域、前記第１のリザーブエリア直後の第２のネガベース領域、前記第２のリザーブエリア直前の第３のネガベース領域、及び前記第２のリザーブエリア直後の第４のネガベース領域のうちの、少なくとも一つを前記ラインセンサで読み取り、前記アナログアンプから出力されるＲ，Ｇ，Ｂ出力電圧を計測し、前記計測したＲ，Ｇ，Ｂ出力電圧の各最大値が所定の基準電圧に一致するように前記アナログアンプのゲイン又は前記アナログアンプのゲインとラインセンサの露光時間とを制御し、その後、各コマの画像を読み取ることを特徴としている。
【０００７】
また、本発明は、前記目的を達成する為に、長尺状のスチル写真フイルムが出入りする開口部と前記フイルムが巻回される単一のスプールとを有するフイルムカートリッジから、前記スチル写真フイルムを一定の速度で搬送すると共に該フイルムのコマ画像をラインセンサによって読み取り、該ラインセンサのＲ，Ｇ，Ｂ出力電圧をアナログアンプで増幅するようにしたフイルムスキャナの露出制御方法において、前記スチル写真フイルムの第１コマの前にラボ用にリザーブされたリザーブエリア直前のネガベース領域内で、次式
Ｗ＜Ｘ＜Ｌ─Ｗ
但し、Ｗは前記開口部からカートリッジ内に進入する光によってフイルムが露光され得る部分のフイルム長さ方向の露光最大幅
Ｌは前記ネガベース領域近傍のフィルムが前記スプールに１周巻回される長さ
を満たす距離（Ｘ）だけ離間する少なくとも２箇所の位置で、それぞれ初期設定された所定の露出状態で前記ラインセンサによって読み取りを行い、前記アナログアンプから出力されるＲ，Ｇ，Ｂ出力電圧を計測し、前記計測したＲ，Ｇ，Ｂ出力電圧のうち大きな値をとる位置を適正なネガベース位置として判別し、前記判別した適正なネガベース位置の読み取り時に前記アナログアンプから出力されるＲ，Ｇ，Ｂ出力電圧の各最大値が所定の基準電圧に一致するように前記アナログアンプのゲイン又は前記アナログアンプのゲインとラインセンサの露光時間とを制御し、その後、各コマの画像を読み取ることを特徴特徴としている。
【０００８】
また、本発明は、前記目的を達成する為に、露出状態及びアナログアンプのゲインを一定にして前記各位置で計測したＲ出力電圧の最大値だけを比較することによって、又は前記各位置でそれぞれ所定のキャリブレーションを行ったときのＲチャンネルのアナログアンプのゲインの大きさによって、該フイルムの適正なネガベース位置を判別することを特徴としている。
【０００９】
本発明によれば、先ず、初期設定された所定の露出状態でフイルムの第１のリザーブエリア直前の第１のネガベース領域、第２のリザーブエリア直後の第２のネガベース領域、第１のリザーブエリア直後の第３のネガベース領域、及び第２のリザーブエリア直前の第４のネガベース領域のうちの少なくとも一つをラインセンサで読み取り、アナログアンプから出力されるＲ，Ｇ，Ｂ出力電圧を計測する。続いて前記計測したＲ，Ｇ，Ｂ出力電圧の各最大値が所定の基準電圧に一致するように前記アナログアンプのゲイン又は前記アナログアンプのゲインとラインセンサの露光時間とを制御する。そして前記露出制御に基づいて各コマの画像の読み取りを行っている。これにより、正しい露出制御が可能となり、コマ画像を適正に読み取ることができる。
【００１０】
また、前記第１乃至第４のネガベース領域のうちの複数の領域について読み取りを行い、各ネガベース領域毎に計測したＲ，Ｇ，Ｂ出力電圧の各最大値が所定の基準電圧に一致するように前記アナログアンプのゲイン又は前記アナログアンプのゲインとラインセンサの露光時間を求めている。そして、前記複数のネガベース領域のうち、ゲイン又は露光時間の一番小さいネガベース領域を該フイルムのネガベースと判断して、そのネガベース領域のゲイン又はゲインと露光時間を該フイルムのゲイン又はゲインと露光時間として採用している。これにより、ネガベースが保証されていないフイルムにおいて、極めて正確にネガベースを判断することができ、正しい露出制御を実現することができる。
【００１１】
また、複数のネガベース領域について読み取りを行う場合には、露出状態及びアナログアンプのゲインを一定にして各ネガベース領域毎に計測したＲ出力電圧の最大値を比較判定して、そのネガベース領域を決定している。更に、本発明の他の形態として、各ネガベース領域毎にそれぞれ所定のキャリブレーションを行ったときのＲチャンネルのアナログアンプのゲインの大きさによって、そのネガベース領域を決定している。これにより、フイルムを透過してきた光などの赤色光によってネガベースにカブリが発生した時に、Ｒの再現を良好にする為にＧ及びＢの抑制が生じる重層効果によってＧ及びＢの出力電圧が本来のネガベースより増加した場合にでも、極めて正確にネガベースを判断することができ、正しい露出制御を実現することができる。
【００１２】
また、本発明によれば、先ず初期設定された所定の露出状態でフイルムの第１のリザーブエリア直前の第１のネガベース領域をラインセンサで読み取り、アナログアンプから出力される第１のＲ，Ｇ，Ｂ出力電圧を検出記憶し、続いて前記第１のＲ，Ｇ，Ｂ出力電圧の各最大値が所定の基準電圧に一致するように前記アナログアンプのゲイン又はアナログアンプのゲインとラインセンサの露光時間とを制御している。そして、前記露出制御に基づいて各コマの画像の読み取りを行っている。各コマ画像の読み取りを終了した後、再び初期設定された所定の露出状態に戻し、第２のリザーブエリア直後の前記第４のネガベース領域の読み取りを行う。即ち、アナログアンプから出力される第４のネガベース領域の第４のＲ，Ｇ，Ｂ出力電圧を計測する。そして、前記第４のＲ，Ｇ，Ｂ出力電圧と前記記憶した第１のＲ，Ｇ，Ｂ出力電圧とを比較して、第４のＲ，Ｇ，Ｂ出力電圧の方が、高い場合には、該第４のＲ，Ｇ，Ｂ出力電圧の各最大値が所定の基準電圧に一致するように前記アナログアンプのゲイン又は前記アナログアンプのゲインとラインセンサの露光時間とを制御して、その後改めて各コマの画像を読み取っている。このように、ネガベースである確率が極めて高い第１のネガベース領域と第４のネガベース領域とについてネガベースを計測し、それらを比較しているので、簡易に最適なネガベースを判別することができる。また、フイルムの搬送シーケンスに沿って各ネガベース領域の読み込みを行っているので、フイルムの搬送を効率的に行うことができる。
【００１３】
また、本発明の他の形態によれば、フイルムカートリッジの開口部から入射する光によってフイルムのリザーブエリア直前のネガベース領域にカブリが生じる場合でも、該ネガベース領域内で所定の距離（Ｘ）だけ離間する少なくとも２箇所の位置でネガベースの計測を行うことにより、少なくとも一回は前記カブリに該当しない適正なネガベース位置での計測を行うことができる。
【００１４】
即ち、フイルムのリザーブエリア直前のネガベース領域に発生するカブリが前記ネガベース領域近傍のフィルムの巻回周期Ｌで周期的に生じることに着目し、前記巻回周期Ｌと、予め予想されるカブリの最大幅Ｗとを用いて、次式、
Ｗ＜Ｘ＜Ｌ─Ｗ
の関係を満たす距離Ｘだけ離間する位置で少なくとも２回、キャリブレーションを行うようにしたので、少なくとも１回は前記カブリの位置を避けることができる。これにより、最適なネガベースを容易に判別することができ、正確な露出制御を行うことができる。
【００１５】
更に、本発明の他の形態によれば、フイルムカートリッジの開口部から入射する光によってフイルムのリザーブエリア直前のネガベース領域にカブリが生じる場合に、フイルムの巻回によって内層部ではネガベースを透過してきた赤色光によってカブリが生じるが、この時に重層効果と呼ぶＧ及びＢの抑制が生じる事から、見かけ上Ｇ及びＢの出力が増加してしまう。そこで重層効果の生じないＲ出力電圧に着目し、複数の領域におけるアナログアンプのＲ出力電圧の計測比較によってネガベース領域の判定を行うようにしたので、重層効果の影響を受けたＧ及びＢの出力を用いてキャリブレーションを行うことを避けることができる。これにより、最適なネガベースを容易に判別することができ、正確な露出制御を行うことができる。
【００１６】
【発明の実施の形態】
以下添付図面に従って本発明に係るフイルムスキャナの露出制御方法の好ましい実施の形態について詳説する。
図１は本発明に係るフイルムスキャナの露出制御方法が適用されたフイルムスキャナを含むシステム全体の概略構成を示す斜視図である。同図に示すように、フイルムスキャナ１００は直方体状に形成され、その前面にはフイルムカートリッジトレー１０２及び電源スイッチ１０４が設けられている。フイルムカートリッジトレー１０２は、フイルムカートリッジ１１０のローディング／アンローディング時に前後方向に進退駆動され、これよりフイルムカートリッジ１１０の収納又は取出しが行われる。
【００１７】
フイルムスキャナ１００にはキーパッド１２０及びモニタＴＶ１０９が接続され、キーパッド１２０からは信号ケーブル１０６を介してフイルムスキャナ１００を制御するための各種の操作信号がフイルムスキャナ１００に出力され、フイルムスキャナ１００からは信号ケーブル１０８を介して映像信号がモニタＴＶ１０９に出力される。尚、キーパッド１２０によるフイルムスキャナ１００の制御の詳細については後述する。
【００１８】
図２は図１のフイルムスキャナ１００に適用されるフイルムカートリッジ１１０の一例を示す図である。同図に示すように、フイルムカートリッジ１１０は単一のスプール１１２を有し、このスプール１１２に写真フイルム１１４が巻回されている。写真フイルム１１４には、各コマの位置を示すパーフォレーション１１４Ａが穿設されるとともに、フイルム全面又はフイルム縁部に磁気記録層１１５Ｂ、１１５Ｃが形成されており、この磁気記録層１１５Ｂ、１１５Ｃには、磁気ヘッドを有するカメラによってコマ毎の撮影データ等を示す磁気データが記録できるようになっている。
【００１９】
記録される磁気データとしては、例えば、コマ番号、ハイビジョン画像、パノラマ画像及び通常画像のいずれかを示すプリントフォーマット、撮影日／時刻等が考えられるが、その他、カメラによって多数種類のデータを記録することができる。また、前記写真フイルム１１４には、被写体光によって露光されるコマ領域以外にフイルムタイプ、コマ番号等を示すバーコードを光学的に記録することができる。
【００２０】
ここで、１ロールのフイルムのうち、第１コマ♯１の位置よりもフイルム先端側には、第１のラボ用リザーブエリアＬＢ１及び磁気トラック１１５Ｃが設けられており、フイルムの最終コマよりもフイルム後端側には第２のラボ用リザーブエリアＬＢ２が設けられている。
尚、前記第１コマ♯１の位置を示すパーフォレーション１１４Ａよりもフイルム先端側をリーダ部と称し、リーダ部の磁気トラックをリーダトラック１１５Ｃという。また、第１コマの位置を示すパーフォレーション１１４Ａよりも後端側をフレーム部といい、フレーム部の磁気トラックをフレームトラック１１５Ｂと称す。そして、リーダトラック１１４Ｃには、主に１ロール全体の磁気データが記録され、フレームトラック１１５Ｂにはコマ毎の磁気データが記録される。更に、フイルムのリーダ部の縁部にはフイルム固有の識別符号（フイルムＩＤ）を表す図示しないバーコードが書き込まれている。
【００２１】
また、現像処理された前記写真フイルム１１４はフイルムカートリッジ１１０に巻き取られ、これにより保管できるようになっている。
ところで、前記写真フイルムのネガベースである可能性が高い領域としては、次の４つを挙げることができる。
▲１▼ラボ用リザーブエリアＬＢ１直前の領域Ａ
▲２▼ラボ用リザーブエリアＬＢ１直後でエリアＬＢ１と第１コマ♯１の間の領域Ｂ
▲３▼ラボ用リザーブエリアＬＢ２の直前でエリアＬＢ２と最終コマ♯４０の間の領域Ｃ
▲４▼ラボ用リザーブエリアＬＢ２の直後の領域Ｄ
尚、各コマ間の領域は、撮影時に露光がかぶることが予想されるため、ネガベースである可能性は低い。また、フイルムの最先端付近やフイルムの最後端付近はラボでフイルムを取り出す際に光があたる可能性があるので、ネガベースである確率は低い。
【００２２】
上記領域Ａ乃至Ｄの中で、ネガベースである確率はＤ＞Ａ＞Ｃ＞Ｂの順で高いと考えられる（図２参照）。領域Ａ及びＤは撮影時に露光がかぶる可能性が低く、特に領域Ｄはカートリッジの最も奥に位置しているのでネガベースである確率が極めて高い。一方、領域Ｂ及びＣはともに撮影時において露光がかぶる可能性があり、特に領域Ｂはフイルムの先端側なのでその可能性も高くなると予想される。
【００２３】
図３は上記フイルムスキャナ１００の内部構成の実施の形態を示すブロック図である。このフイルムスキャナ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１ａ、Ｍ１ｂ、表示バッファＭ２、中央処理装置（ＣＰＵ）１６０、フイルム駆動メカ１７０、光学データ読取装置１８０、及び磁気記録再生装置１８２等を備えている。
【００２４】
光源１３０は、例えばフイルム１１４の給送方向と直交する方向に長い蛍光灯から成り、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ｆ方向（以下、順方向という）又は矢印Ｒ方向（以下、逆方向という）に移動させられるが、このフイルム駆動の詳細については後述する。
【００２５】
ＣＣＤラインセンサ１４２はフイルム給送方向と直交する方向に配設されており、ＣＣＤラインセンサ１４２の受光面に結像された画像光は、Ｒ，Ｇ，Ｂフィルタを有する各センサで所定時間電荷蓄積され、光の強さに応じた量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００２６】
また、ＣＣＤラインセンサ１４２は、各受光部に隣接して図示しないシャッターゲート、及びシャッタードレインが設けられており、このシャッターゲートをシャッターゲートパルスによって駆動することにより、前記受光部に蓄積された電荷をシャッタードレインに掃き出すことができる。即ち、このＣＣＤラインセンサ１４２は、ＣＣＤ駆動回路１４４から加えられるシャッターゲートパルスに応じて受光部に蓄積した電荷を制御することができる、いわゆる電子シャッター機能を有している。
【００２７】
本実施の形態では、リードゲートパルスの１ライン周期が１．６ｍｓであり、また、シャッターゲートパルスは、５７６ｎｓ〜１．６ｍｓの間を２５５分割した所定のタイミングで加えられるように制御されている。前記ＣＣＤ駆動回路１４４はＣＰＵ１６０によって駆動制御され、また、ＣＣＤラインセンサ１４２のシャッター量可変範囲は、ＣＰＵ１６０からＣＣＤ駆動回路１４４を介して１５％〜１００％に制御されている。
【００２８】
尚、ＣＣＤラインセンサ１４２は、フイルム給送方向と直交する方向に例えば１０２４画素分のセンサを有している。また、１コマのフイルム給送方向と同方向の画素数は、ＣＣＤ駆動回路１４４のリードゲートパルス等の周期を変更しない場合にはフイルム給送速度に応じて変化し、本実施の形態では標準のフイルム画像を取り込む時の給送速度の１／２倍、１倍、８倍、１６倍の各速度における画素数は、１７９２画素、８９６画素、１１２画素、５６画素である。
【００２９】
このようにしてＣＣＤラインセンサ１４２から読み出された信号電荷は、ＣＤＳクランプ１４６ＡによってクランプされてＲ，Ｇ，Ｂ信号としてアナログアンプ１４６に加えられ、ここでＲ，Ｇ，Ｂ信号のゲイン等が制御される。このゲイン制御については後述する（図４参照）。
アナログアンプ１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００３０】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。
図５（Ａ）乃至（Ｆ）は前記第１信号信号処理回路１５１における各部の出力信号の階調を示す説明図である。
【００３１】
図５（Ａ）に示すようにリニアに階調が増加する被写体が撮影されたネガフイルムをＣＣＤラインセンサ１４２で撮像すると、ＣＣＤラインセンサ１４２から出力されるＲ，Ｇ，Ｂの出力信号は、ネガフイルムの持っているガンマにより図５（Ｂ）に示すような波形になる。
第１信号信号処理回路１５１は、入力するＲ，Ｇ，Ｂ信号の黒レベル、ネガポジ反転、白レベル、ガンマ補正の信号処理を行うもので、先ず、入力するＲ，Ｇ，Ｂ信号に対してＲ，Ｇ，Ｂ信号別のオフセット値を加算することによってＲ，Ｇ，Ｂ信号のピーク値（ポジ画像の黒レベル）を合わせる（図５（Ｃ）参照）。
【００３２】
続いて、ネガポジ反転回路によって所定のピーク値から前記オフセットされたＲ，Ｇ，Ｂ信号を減算し、ネガポジ反転を行う。図５（Ｄ）はネガポジ反転されたＲ，Ｇ，Ｂ信号を示す。次に、ネガポジ反転されたＲ，Ｇ，Ｂ信号に対して、ＣＰＵ１６０から加えられる制御信号に基づいてそれぞれ各Ｒ，Ｇ，Ｂ信号別のゲイン量を乗算することにより、ホワイトバランス補正を行う。即ち、図５（Ｅ）に示すように、Ｒ，Ｇ，Ｂ信号の他方のピーク値（ポジ画像の白レベル）を合わせる。ガンマ補正回路は、ホワイトバランス補正されたＲ，Ｇ，Ｂ信号に対してそれぞれ異なるガンマ補正を行うことにより、Ｒ，Ｇ，Ｂ信号の中間調を合わせるとともに、所定のガンマ（γ＝０．４５）を示す階調となるようにしている（図５（Ｆ）参照）。
【００３３】
第２信号処理回路１５２はマトリクス回路を有し、入力するＲ，Ｇ，Ｂ信号に基づいて輝度信号Ｙ及びクロマ信号Ｃｒ／ｂ  を生成し、これらをメモリ制御回路１５４に出力する。
メモリ制御回路１５４は、上記輝度信号Ｙ及びクロマ信号Ｃｒ／ｂ  のＣＣＤバッファＭ１ａ又はＭ１ｂへの書込み／読出しを制御するとともに、ＣＣＤバッファＭ１ａ又はＭ１ｂに記憶された輝度信号Ｙ及びクロマ信号Ｃｒ／ｂ  の表示バッファＭ２への書込み／読出しを制御する。尚、ＣＣＤバッファＭ１ａ，Ｍ１ｂ及び表示バッファＭ２への書込み／読出し制御の詳細については後述する（図９参照）。
【００３４】
メモリ制御回路１５４によって表示バッファＭ２から読み出される輝度信号Ｙ及びクロマ信号Ｃｒ／ｂ  は、第３信号処理回路１５３に加えられる。第３信号処理回路１５３は、入力する輝度信号Ｙ及びクロマ信号Ｃｒ／ｂ  に基づいて、例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５３及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。
【００３５】
また、ＣＣＤ回路ユニット１４０、Ａ／Ｄコンバータ１５０、第１信号処理回路１５１、第２信号処理回路１５２、及びメモリ制御回路１５４にはＣＰＵ１６０によって制御されるタイミング信号発生回路１６２からタイミング信号がそれぞれ加えられており、これにより各回路の同期がとられている。
ＣＰＵ１６０は、図３に示すＡ／Ｄコンバータ１５０からの点順次のＲ，Ｇ，Ｂ信号を各色別に全コマ分取り込み、色信号別のオフセット量、及び白バランスを調整するための色信号別のゲイン調整量を算出し、これらの色信号別のオフセット量を示すオフセットデータ及びゲイン調整量を示すＡＥ／ＡＷＢデータをコマ毎にＣＰＵ内蔵のＲＡＭ１６０Ａに記憶する。
【００３６】
さて、フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４を図示しないキャプスタンとピンチローラとで挟持してフイルム１１４を一定速度で送る手段等から構成されている。尚、上記フイルム供給部は、フイルムカートリッジ１１０のスプール１１２を図３上で時計回り方向に駆動し、フイルム先端がフイルム巻取部によって巻き取られるまでフイルムカートリッジ１１０からフイルム１１４を送り出すようにしている。
【００３７】
光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００３８】
磁気記録再生装置１８２は磁気記録再生ヘッド１８２Ａを含み、磁気記録再生ヘッド１８２Ａを介してフイルム１１４の磁気記録層１１５Ｂ、１１５Ｃに記録されている磁気データを読み取り、その磁気データを処理してＣＰＵ１６０に出力し、また、ＣＰＵ１６０から加えられる書込み用のデータを磁気記録に適した信号に変換したのち磁気記録再生ヘッド１８２Ａに出力し、フイルム１１４の磁気記録層１１５Ｂ、１１５Ｃに記録する。
【００３９】
次に、上記フイルムスキャナの作用について図６及び図７に示すフローチャートを参照しながら説明する。
先ず、フイルムスキャナの電源をＯＮ（ステップ２００）して光源１３０を点灯させ、光源１３０の光量が安定した後（ステップ２０２）、フイルムカートリッジ１１０をフイルムスキャナ１００に装着する（ステップ２０４）。
【００４０】
次に、ＣＣＤラインセンサ１４２の電子シャッターを初期値１５％に設定すると共に、アンプゲインを所定の値（初期値）に設定する（ステップ２０６）。
次いで、フイルムカートリッジ１１０から写真フイルム１１４を引き出し、光学データ読取装置１８０がフイルムの最初のパーフォレーション１１４Ａを検出すると、フイルムの引き出しを停止する（図２領域Ｂ）。その後、フイルムを所定量巻き戻して、リーダトラック１１５Ｃよりも前（図２の領域Ｓ）に戻す。そして、磁気記録再生ヘッド１８２Ａによってリーダトラック１１５Ｃに記録された磁気データを読み取って、領域Ａに達する。
【００４１】
この領域Ａでキャリブレーションを実行する（ステップ２０６〜２１０）。即ち、ＣＣＤラインセンサ１４２の電子シャッターを初期値１５％に設定すると共に、アンプゲインを初期値に設定する（ステップ２０６）。
上記初期設定の状態で領域Ａにおいて写真フイルム１１４のネガベースをＣＣＤラインセンサ１４２で撮像し、アンプ１４６Ｇの出力電圧を計測し、そのときのアンプ１４６Ｒ、１４６Ｇ、１４６Ｂから出力されるＲ，Ｇ，Ｂ出力電圧を記憶する（ステップ２０８）。
【００４２】
そして、アンプ１４６Ｇから出力されるＧ出力電圧の最大値ｄと基準電圧（例えば２Ｖ）との誤差を読み、該最大値ｄを２Ｖに一致させるように電子シャッタの露光時間を変更する。
次に図４に示すようにＣＰＵ１６０からアンプ１４６Ｒ、１４６Ｂにゲイン制御信号を出力して、アンプ１４６Ｒ、１４６Ｂから出力されるＲ，Ｂ出力電圧の各最大値を２Ｖに一致させる（ステップ２１０）。
【００４３】
ところで、上記以外にも、先ず前記領域Ｂにおいてネガベースを計測し、その後領域Ａのネガベースを計測することも考えられる。この場合、各領域毎に測定・記憶したＲ，Ｇ，Ｂ出力電圧を比較し、大きい値を有するネガベース領域を適正なネガベース領域と判別し、そのネガベース領域の撮影時にアナログアンプから出力されるＲ，Ｇ，Ｂ出力電圧の各最大値が所定の基準電圧に一致するようにアナログアンプのゲインとラインセンサの露光時間を制御する。尚、ネガベースである確率がＡ＞Ｂであることから、領域Ｂでのネガベース撮像を省略することができる。
【００４４】
さて、ステップ２１０に続いて第１のプリスキャンを実行する（ステップ２１２）。即ち、第１のプリスキャン時には、図８に示すようにフイルム１１４を１４８．０ｍｍ／秒の高速で順方向に給送し、ＣＣＤラインセンサ１４２を介して画像データを取り込むとともに、磁気記録再生装置１８２を介して磁気データを読み取り、ＡＥ／ＡＷＢデータ及び磁気データを取得する。
【００４５】
フイルム搬送の往路による第１のプリスキャンが終了すると、フイルム１１４は最終コマ♯４０まで引き出され、領域Ｃに到達する（図２参照）。その位置から更にフイルム１１４を引き出し、領域Ｄにおいて再度電子シャッタ及びアンプゲインを初期値に設定した状態でのＲ，Ｇ，Ｂ出力電圧を計測する（ステップ２１３、ステップ２１４）。
【００４６】
そして先程第１のプリスキャン前に記憶した領域Ａに基づくＲ，Ｇ，Ｂ出力電圧と比較し、大きい値の方を該フイルムの最適なネガベースと判別する（ステップ２１６）。
ところで、上記以外にも前記第１のプリスキャン終了後、先ず領域Ｃにおいてネガベースを計測し、その後前記領域Ｄのネガベースの計測を行うことも考えられる。この場合、各領域毎に測定・記憶したＲ，Ｇ，Ｂ出力電圧を比較し、大きい値を有するネガベース領域を適正なネガベース領域と判別し、そのネガベース領域の撮影時にアナログアンプから出力されるＲ，Ｇ，Ｂ出力電圧の各最大値が所定の基準電圧に一致するようにアナログアンプのゲインとラインセンサの露光時間を制御する。尚、ネガベースである確率がＤ＞Ｃであることから、領域Ｃでのネガベースの計測を省略することができる。
【００４７】
こうして、ステップ２１６で適正なネガベースが領域Ｄのものであると判断された場合は、その適正なネガベースから得られる測定値に基づいてキャリブレーションを行った後、前記第１のプリスキャンを行い（ステップ２２２）、続いて復路にて第２のプリスキャンを実行する（ステップ２２４）。一方、その適正なネガベースが領域Ａのものであると判断された場合は、前述したステップ２１０の状態に戻して（ステップ２２１）、第２のプリスキャンを実行する（ステップ２２４）。
【００４８】
図４では、ネガベースのＲ，Ｇ，Ｂ出力電圧のうちの、Ｇ出力電圧に基づいて電子シャッタの露光時間を制御するとともに、Ｒ，Ｂ出力電圧を基にアナログアンプのゲインを制御する場合を説明したが、キャリブレーションの方法はこれに限らず、電子シャッタ及びアナログアンプゲイン等を初期設定値にして（ステップ２１３）、ネガベースをＣＣＤラインセンサ１４２で撮像し、該ＣＣＤラインセンサ１４２から出力されるＲ，Ｇ，Ｂ出力電圧の各最大値が基準電圧２Ｖとなるようにフィードバック制御で各信号毎のゲインを上げていくことも可能である（ステップ２１０、２２０、２２１）。
【００４９】
この場合は、ＣＰＵ１６０からアンプ１４６Ｒ、１４６Ｇ、１４６Ｂそれぞれにゲイン制御信号を出力して、Ｒ，Ｇ，Ｂ出力電圧の各最大値を基準電圧２Ｖに一致させてキャリブレーションを行う。
また、図４では、各領域に対応して記憶したＲ，Ｇ，Ｂ出力電圧の大きさに基づいて適正なネガベース領域を判別するようにしたが、これに限らず、複数の領域についてキャリブレーションを行ったった場合には、各領域におけるゲインを比較して、最も小さい値となる領域を適正なネガベース領域と判別し、そのネガベース領域のゲインを該フイルムの適正なゲインとして採用することができる。
【００５０】
さて、前記第２のプリスキャン（ステップ２２４）は、図８に示すようにフイルム１１４を７４．０ｍｍ／秒の高速で逆方向に巻き戻し、再びＣＣＤラインセンサ１４２を介して画像データを取り込む。この画像データの取込み時には、ＣＰＵ１６０は、ＲＡＭ１６０Ａに記憶したＡＥ／ＡＷＢデータに基づいてＣＣＤラインセンサ１４２の電子シャッタ機構を制御する。即ち、ＣＣＤ駆動回路１４４を介してＣＣＤラインセンサ１４２における電荷蓄積時間を制御することにより、露光量を調整する。
【００５１】
また、ＣＰＵ１６０は、第１信号処理回路１５１において、各コマ毎にＲ，Ｇ，Ｂ信号のオフセット量及び白バランスの調整を行わせる。即ち、ＣＰＵ１６０は、ＲＡＭ１６０Ａに記憶した各コマの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＲＡＭ１６０Ａに記憶した各コマの色信号毎のＡＥ／ＡＷＢデータを第１信号処理回路１５１に出力し、第１信号処理回路１５１はこのＡＥ／ＡＷＢデータに基づいて点順次のＲ，Ｇ，Ｂ信号のゲインを調整する。
【００５２】
上記ＡＥ／ＡＷＢデータ等に基づいて各コマの画像データを調整しているため、各コマの撮影条件にかかわらず、良好な画像データを取り込むことができる。また、これと同時に、更に詳細なＡＥ／ＡＷＢデータが取得され、前記ＲＡＭ１６０Ａにリライトされて記憶される。
このようにして調整された各コマの画像データ、即ち、第２信号処理回路１５２から出力される輝度信号Ｙ及びクロマ信号Ｃｒ／ｂ  は、メモリ制御回路１５４を介してインデックス画像バッファＭ１ａに順次記憶される。尚、この場合、図８に示すように標準のフイルム画像を取り込む時の給送速度の８倍の速度でフイルム１１４が給送されるため、１コマのフイルム給送方向と同方向の画素数は、１１２画素である（図９（Ａ）参照）。また、ＣＣＤラインセンサ１４２は、前述したようにフイルム給送方向と直交する方向に１０２４画素分のセンサを有しているが、１／１６に間引くことにより１コマのフイルム給送方向と直交する方向の画素数は、６４画素である。
【００５３】
そして、インデックス画像バッファＭ１ａは、図９（Ａ）に示すように５１２×１０２４画素のデータを記憶する記憶容量を有した不揮発性メモリであり、これにより５×４×２（＝４０）コマ分の画像データを記憶することができる。即ち、インデックス画像バッファＭ１ａには、４０コマ分のインデックス画像を示す画像データが記憶されることになる。
【００５４】
表示バッファＭ２は、図９（Ｂ）に示すように５１２×１０２４画素のデータを記憶する記憶容量を有しているが、上記インデックス画像を示す画像データを記憶する場合には、１コマの画素が７３×１２８に拡大されて５×４（＝２０）コマ分の画像データを記憶する。そして、インデックス画像をモニタＴＶ１０９に表示させる場合には、表示バッファＭ２の左上の４８０×６４０画素分の領域が読み出される（図９（Ｂ）、（Ｃ）参照）。
【００５５】
さて、インデックス画像バッファＭ１ａには、図９（Ａ）に示すように上記スキャン時における各コマの画像データの読取り順に、各コマの画像データが左上の記憶領域から右側に向かって順次記憶され、４コマ分記憶されると、１行下がった記憶領域から再び右側に向かって順次記憶される。そして、５行分（４×５＝２０コマ分）記憶されると、隣の２０コマ分の記憶領域に同様にして記憶される。
【００５６】
インデックス画像バッファＭ１ａへの上記記憶動作中にも、インデックス画像バッファＭ１ａの記憶内容は表示バッファＭ２に転送される。
表示バッファＭ２には１度に２０コマ分の画像データしか記憶できないため、インデックス画像バッファＭ１ａに２１コマ目の画像データが入力されると、インデックス画像を上方向にスクロールさせるように、表示バッファＭ２への画像データの書換え及び読み出しが行われる。例えば、インデックス画像バッファＭ１ａに２１コマ目の画像データが入力されると、表示バッファＭ２のコマ番号１〜４の１行分の記憶領域の画像データがクリアされ、２１コマ目の画像データが書き込まれるとともに、映像信号出力時のスキャン開始アドレスを２行目に変更される。これにより、モニタＴＶ１０９では１行分だけ上方向にスクロールしたインデックス画像が表示されることになる。このようにして全コマの画像データがインデックス画像バッファＭ１ａに記憶されると、モニタＴＶ１０９には再びコマ番号１〜２０までのインデックス画像が表示されるように下方向にスクロール又は画面が切り替えられる。
【００５７】
ところで、ＣＰＵ１６０は、上記スキャン時における各コマの画像データの読取り順に各コマに対してコマ番号を１、２、…とし、各コマのコマ番号を示すキャラクター信号を出力することにより、コマ番号がスーパーインポーズされたインデックス画像を表示させるようにしている。
上記のようにしてインデックス画像の作成が行われ、モニタＴＶ１０９に表示される（図７ステップ３１０）。
【００５８】
続いてキー操作等によって自動再生を選択したか否かが判断される（ステップ３１８）。ステップ３１８において自動再生を選択しない場合には、上記インデックス画像を見ながらキーパッド１２０を使用し、対話形式でモニタＴＶ１０９に１コマ表示するために必要な編集、その他の画像再生処理情報の指定を行う（ステップ３２０）。
【００５９】
次に、各コマ毎の表示・編集を行う場合の例について説明する。
この場合には、各コマの表示を行うか否かを選択し（ステップ３２２）、コマ表示を行う場合には表示コマ番号を入力する（ステップ３２４）。その後、図８に示すようにフイルム１１４を９．２５ｍｍ／秒で順方向に１コマ分給送して、そのコマ番号のコマのスキャン（本スキャン）を行う（ステップ３２６）。このスキャン時にＣＣＤラインセンサ１４２を介して画像データが画像データバッファＭ１ｂに取り込まれる。
【００６０】
本スキャン時には、読み取ろうとするコマ画像の明るさ情報を前記ＲＡＭ１６０Ａから読み出し、そして、この明るさ情報に基づいて、アナログアンプ１４６からＡ／Ｄコンバータ１５０に出力されるＲ，Ｇ，Ｂ出力電圧の最大値が、ネガベースを撮像した最大値２Ｖとなるように、ＣＣＤラインセンサ１４２の露光時間を制御する。例えば、ネガベースを撮像した時のアナログアンプ１４６のダイナミックレンジがデジタル値で２５５（８ビット）であって、前記ＲＡＭ１６０Ａから読み出された画像データの基準最大値がデジタル値で１２７であった場合には、ＣＣＤラインセンサ１４２の露光時間を２倍（３４％）に設定して、そのコマ画像を撮像する。
【００６１】
このように画像データの取込み時には、ＣＰＵ１６０は、ＲＡＭ１６０Ａに記憶したＡＥ／ＡＷＢデータ等に基づいて各コマの画像データを調整しているため、各コマの撮影条件にかかわらず良好な画像データを取り込むことができる。
また、このようにして画像データバッファＭ１ｂに取り込まれる１コマ分の画素数は、図９（Ｄ）に示すように５１２×８９６画素である。即ち、１０２４画素分のセンサを有するＣＣＤラインセンサ１４２のＣＣＤ出力を、本スキャン時には１／２に間引き、これにより１コマのフイルム給送方向と直交する方向の画素数を５１２とし、また、フイルム給送速度をインデックス画像の画像データの取込み時に比べて１／８にすることにより、インデックス画像の１コマのフイルム給送方向と同方向の画素数（１１２画素）の８倍の８９６画素としている。
【００６２】
上記のようにして画像データバッファＭ１ｂに取り込まれた１コマ分の画像データは、表示バッファＭ２に転送され、この表示バッファＭ２の記憶内容が繰り返し読み出されことによりモニタＴＶ１０９に１コマの画像が表示される。尚、インデックス画像バッファＭ１ａと画像データバッファＭ１ｂはスイッチによって表示バッファＭ２への転送切り替えが随時可能である。
【００６３】
また、１コマ再生メニュー設定モード時には、選択したコマ番号がモニタＴＶ１０９の画面左上に表示され、１コマの編集に必要な設定メニュー等を示す文字がモニタＴＶ１０９の画面右側に表示される。上記メニユーの選択は、前述のインデックス画像を用いた編集と同様にキーパッド１２０を使用して実行したいメニューの指定を行う。
【００６４】
表示コマの編集が終了すると（ステップ３２８）、図８に示すようにフイルム１１４を１４８．０ｍｍ／秒の高速で逆方向に給送し、この給送中に予めフイルム１１４の磁気記録層１１５Ｂ、１１５Ｃから読み取られてＲＡＭ１６０Ａに記憶された磁気データ、前記インデックス画像を用いた編集の内容を示すデータ、表示コマを用いた編集の内容を示すデータ等が磁気データとしてフイルム１１４の磁気記録層１１５Ｂ、１１５Ｃに再び記録され（ステップ３３０）、この巻戻し終了後、フイルムカートリッジ１１０が取り出される（ステップ３３２）。
【００６５】
一方、ステップ３２２において、表示コマを用いた編集を実行しない場合には、ステップ３４０、３４２に進み、上記ステップ３３０、３３２と同様にフイルム１１４の磁気記録層１１５Ｂ、１１５Ｃへの書き込み、及びフイルムカートリッジ１１０の取出しが行われる。
また、ステップ３１８において自動再生が選択されると、ＲＡＭ１６０Ａに記憶された自動再生情報に基づいて１ロールのフイルムの複数コマの画像を順次自動的に再生する（ステップ３４８）。そして、この自動再生が終了すると、フイルム巻戻し時に磁気データが磁気記録層１１５Ｂ、１１５Ｃに再び記録され（ステップ３５０）、巻戻し終了後フイルムカートリッジ１１０が取り出される（ステップ３５２）。
【００６６】
本実施の形態では、フイルムの搬送シーケンスとの関係で領域ＡでＲ，Ｇ，Ｂ出力電圧を計測して、露出制御を行ってからプリスキャンを行い、その後領域Ｄで再度Ｒ，Ｇ，Ｂ出力電圧を計測する場合を述べたが、これに限らず、領域Ａ乃至Ｄのうち少なくとも一つの領域でＲ，Ｇ，Ｂ出力電圧を計測して、Ｒ，Ｇ，Ｂ出力電圧の各最大値が基準電圧となるようにゲイン又はゲインとラインセンサの露光時間を制御することも考えられる。特に、領域Ａ及び領域Ｄはネガベースである確率が高いので、領域Ａ又は領域Ｄでのキャリブレーションの結果を該フイルムのキャリブレーションとして採用することが考えられる。
【００６７】
図１０は本発明の第２の実施の形態を説明するための図である。図１０に示す実施の形態は、ネガベースである確率が高いラボ用リザーブエリアＬＢ１の直前の領域Ｅにおいて、所定の距離Ｘだけ離間する位置で２回キャリブレーションを行うものであり、前記実施の形態中同一又は類似の構成には同一の符号を付し、その説明は省略する。
【００６８】
フイルムカートリッジ１１０には、フイルム１１４の出し入れをする開口部１１０Ａが設けられており、該開口部１１０Ａは図示しない遮光ドアによって開閉される。
前記フイルムカートリッジ１１０に巻回収納されたフイルム１１４は、前記開口部１１０Ａから入射する光によって露光され、カブリ１１８ａ、１１８ｂ、１１８ｃが生じることがある。
【００６９】
即ち、前記フイルム１１４の先端に近い部分は巻回の最外周となり、前記光が直接当たるため、比較的大きいカブリ１１８ａが生じる。該カブリ１１８ａの最大幅をＷとする。そのカブリ１１８ａから丁度１周分Ｌだけ巻回された位置には、前記最外周のフィルムを透過する光によって前記カブリ１１８ａよりも小さなカブリ１１８ｂが生じる。
【００７０】
同様に、更にそのカブリ１１８ｂから丁度１周分Ｌだけ巻回された位置には、カブリ１１８ｂよりも小さなカブリ１１８ｃが生じる。
このように、巻回周期Ｌの位置毎にカブリの部分１１８ａ、１１８ｂ、１１８ｃ…が生じる。尚、最外周のカブリ部分１１８ａがフイルムのどの位置に生じるかは一義的には定まらず、フイルムの巻き取り具合によって任意の位置に発生する。
【００７１】
従って、領域Ｅ内の一定の位置でキャリブレーションを１回限り実施した場合には、前記カブリ１１８ａ、１１８ｂ、１１８ｃ…の位置でキャリブレーションを行う可能性があり、適正な結果が得られないという不都合が生じる。そこで、図１０の実施の形態は、前記のようなカブリ１１８ａ、１１８ｂ、１１８ｃの有無に係わらず、常に適切なネガベースのキャリブレーションを行うものである。
【００７２】
即ち、フイルムカートリッジ１１０から写真フイルム１１４を引き出し、光学データ読取装置１８０がフイルムの最初のパーフォレーション１１４Ａを検出したらフイルムの引き出しを停止し、その後、フイルムを所定量巻き戻して、図１０に示す位置Ｐ１  に戻す。そして、この領域Ｐ１  で前記実施の形態で説明した方法と同等のキャリブレーション（第１のキャリブレーション）を実行し、続いて、距離Ｘだけ離間する位置Ｐ２  で再度第２のキャリブレーションを行う。
【００７３】
前記距離Ｘが次式（１）
Ｗ＜Ｘ＜Ｌ─Ｗ        ……（１）
を満たすときは、前記位置Ｐ１  又はＰ２  のうちの少なくとも１方は前記カブリ部分１１８ａ、１１８ｂ、１１８ｃ以外の位置になるので、適正なネガベースの計測ができる。
【００７４】
前記第１のキャリブレーションに基づく電子シャッタの露光時間又はアナログアンプのゲインと、前記第２のキャリブレーションに基づく電子シャッタの露光時間又はアナログアンプのゲインとを比較して、小さいものを該フイルムの適正なネガベースのゲイン又はゲインと露光時間として採用する。
一方図１０に示すように、フイルムカートリッジの開口部から入射する光によってフイルムのリザーブエリア直前のネガベース領域にカブリが生じる場合に、フイルムの巻回によって内層部ではネガベースを透過してきた赤色光によってカブリが生じるが、この時に重層効果と呼ぶＧ及びＢの抑制が生じ易くなる。
【００７５】
即ち、ネガベースのオレンジマスクにより、図１１のグラフに示すように内周側（フイルムカートリッジ内の２周目、及び３周目）の露光領域に届く光は、Ｒの成分が強く、逆にＧ，Ｂの成分は殆ど届かない。従って、内周側の露光領域では殆どＲのみが発色し、Ｇ，Ｂの成分は発色しないため、ここで重層効果が発生し、Ｇ，Ｂについては本来のネガベースより更に濃度が低くなる（透過率が高くなる）ことがあり、Ｒ，Ｇ，Ｂの各濃度からネガベースを検出する場合には、適正なネガベースを誤検出するおそれがある。そして、この場合には、重層効果によって見かけ上Ｇ及びＢの出力が増加してしまうので、適正なキャリブレーションを行えないという不都合が生じる。
【００７６】
そこで、本発明の第３の実施の形態では、複数の領域における該ラインセンサのＲ出力電圧の最大値を比較することによって適正なネガベース領域の判定を行う。即ち、電子シャッタ、アナログゲインは一定にしておいて、複数の領域におけるＲ出力電圧の最大値を比較し、Ｒ出力電圧が最も高い領域を適正なネガベース領域として判定する。そして、このネガベース領域を読み取るラインセンサのＲ，Ｇ，Ｂ出力電圧の各最大値がそれぞれ所定の基準電圧に一致するように前記第２の実施の形態で説明した方法と同等のキャリブレーションを実行し、該フイルムの適正なネガベースのゲイン又はゲインと露光時間として採用する。
【００７７】
上記第２の実施の形態では、位置Ｐ１  、Ｐ２  の順にキャリブレーションを行う場合について説明したが、これに限らず、ラボ用リザーブエリアＬＢ１に近い方から位置Ｐ２  、Ｐ１  の順にキャリブレーションを行ってもよい。
次に、図１２に示すようにラボ用リザーブエリアＬＢ１に近い方から位置Ｐ２  、Ｐ１  の順にキャリブレーションを行い、且つ位置Ｐ２  が適正なネガベースである場合には、位置Ｐ１におけるキャリブレーションを省略することができる本発明の第４の実施の形態を説明する。
【００７８】
図１３のフローチャートに示すように、フイルムスキャナの電源をＯＮして光源１３０を点灯させ、光源１３０の光量が安定した後（ステップ４０１）、フイルムカートリッジ１１０をフイルムスキャナ１００に装着する（ステップ４０４）。
次に、ＣＣＤラインセンサ１４２の電子シャッターを初期値１５％に設定すると共に、アンプゲインを所定の値（初期値）に設定する（ステップ４０５）。次いで、フイルムカートリッジ１１０から写真フイルム１１４を引き出し、光学データ読取装置１８０がフイルムの最初のパーフォレーション１１４Ａを検出すると、フイルムの引き出しを停止する（ステップ４０６）。
【００７９】
続いて、図１２に示すようにフイルムを所定の距離Ｙだけ巻き戻して、ラボ用リザーブエリアＬＢ１の直前の所定の位置Ｐ２に移動させる（ステップ４０７）。
そして、この位置Ｐ２を適正なネガベースとして第１回目のネガベースキャリブレーションを実行する（ステップ４１０）。即ち、位置Ｐ２のネガベースをＣＣＤラインセンサ１４２で撮像し、該ラインセンサ１４２の出力電圧を計測する。そして、ＣＣＤラインセンサ１４２から出力されるＧ出力電圧の最大値ｄと基準電圧（例えば２Ｖ）との誤差を読み、該最大値ｄを２Ｖに一致させるように電子シャッタの露光時間を変更する。次に図４に示すようにＣＰＵ１６０からアンプ１４６Ｒ、１４６Ｂにゲイン制御信号を出力して、Ｒ，Ｂ出力電圧の各最大値を２Ｖに一致させる。そして、このＲ出力電圧（出力Ｐ２）を記憶する（ステップ４１１）。
【００８０】
次に、図１２に示すようにフイルムを前述した式（１）に示した所定の距離Ｘだけ巻き戻し、位置Ｐ１に移動させ（ステップ４１２）。この位置Ｐ１のネガベースをＣＣＤラインセンサ１４２で撮像し、該ラインセンサ１４２のＲ出力電圧（出力Ｐ１）を読み取る（ステップ４１５）。このとき、電子シャッタの値及びアナログアンプのゲインは、ステップ４１０で調整された状態のまま維持されている。
【００８１】
次に、ステップ４１１で記憶した出力Ｐ２と、ステップ４１５で読み取った出力Ｐ１とを比較し（ステップ４１８）、次式、
（出力Ｐ２）＜（出力Ｐ１）×｛（１００−δ）％｝      …（２）
ただし、δ＝許容範囲を示す所定値
を満足する場合には、位置Ｐ１を適正なネガベースと判別し、再度ステップ４２０において第２回目のネガベースキャリブレーションを実行したのち、図７に示したステップ３１０に進む。
【００８２】
一方、ステップ４１８において、上記式（２）を満足しない場合には、第２回目のネガベースキャリブレーションを省略し、図７に示したステップ３１０に進む。
実際には殆どの場合、位置Ｐ２が適正なネガベースであるため、位置Ｐ１でのキャリブレーションを省略することができる。尚、第１回目のネガベースキャリブレーションにより、出力Ｐ２は基準電圧となるように調整されるため、ステップ４１１で出力Ｐ２を記憶しなくてもよい。
【００８３】
ところで、図１２に示すように、このフイルム１１４にはバーコード等の光学情報が記録される記録領域１１５Ｄが、各コマ及びラボ用リザーブエリアＬＢ１に対応して設けられるとともに、ラボ用リザーブエリアＬＢ１の直前にも設けられている。従って、前記ネガベースを読み取る位置Ｐ１、Ｐ２が共にラボ用リザーブエリアＬＢ１の直前の記録領域１１５Ｄ内に位置するように、前記距離Ｘ及びＹを設定することが好ましい。この記録領域１１５Ｄは、バーコード等の光学情報が記録されるため、不要な露光がされる可能性が低いからである。更に、位置Ｐ１は、磁気情報を読み込むために必要な位置（助走距離も含む）だと更によい。
【００８４】
尚、第２、第４の実施の形態では、位置Ｐ１  、Ｐ２  の２箇所でキャリブレーションを行う場合について説明したが、２箇所以上の複数の位置でキャリブレーションを行ってもよい。
【００８５】
【発明の効果】
以上説明したように本発明に係るフイルムスキャナの露出制御方法によれば、フイルムのネガベースである確率の高いことが予想される第１及び第２のリザーブエリアの直前、直後のネガベース領域のうち少なくとも一つの領域をラインセンサで読み取り、ラインセンサから出力されるＲ，Ｇ，Ｂ出力電圧を計測し、得られたＲ，Ｇ，Ｂ出力電圧の各最大値が所定の基準電圧に一致するように前記アナログアンプのゲイン又は前記アナログアンプのゲインとラインセンサの露光時間とを制御して、その露光制御に基づいて各コマの画像の読み取りを行うことにより、ネガベースが保証されていないフイルムにおいて、最適なネガベースを確実に判断することができ、正しい露出制御を実現することができる。
【００８６】
また、第１及び第２のリザーブエリアの直前、直後のネガベース領域のうちの複数の領域について読み取りを行い、それぞれのラインセンサから出力されるＲ，Ｇ，Ｂ出力電圧の各最大値が所定の基準電圧に一致するように前記アナログアンプのゲイン又は前記アナログアンプのゲインとラインセンサの露光時間を求め、これらのうち、一番小さいゲイン又は一番小さい露光時間となるネガベース領域を該フイルムのネガベースと採用することにより、ネガベースが保証されていないフイルムにおいて適正なネガベースを判断することができる。
【００８７】
更に、フイルムのネガベースである確率が極めて高い第１のネガベース領域と第４のネガベース領域とについてネガベースを計測し、それらを比較することにより簡易に最適なネガベースを判別することができる。また、フイルムの搬送シーケンスに沿って各ネガベース領域の読み込みを行っているので、フイルムの搬送を効率的に行うことができる。
【００８８】
また、本発明に係るフイルムスキャナの露出制御方法によれば、フイルムカートリッジの開口部から入射する光によってフイルムのリザーブエリア直前のネガベース領域にカブリが生じる場合でも、該ネガベース領域内で所定の距離（Ｘ）だけ離間する少なくとも２箇所でネガベースの計測を行うことにより、少なくとも一回は前記カブリに該当しない適正なネガベース位置での計測を行うことができる。
【００８９】
また、ネガベース領域の判定に際して、各領域のＲ出力値を比較判定することで、重層効果による影響を避けた適正なキャリブレーションを簡単に行う事ができる。
また、Ｒ出力電圧の最大値を比較してからキャリブレーションを行うので、キャリブレーションに要する時間を短縮することができる。
【図面の簡単な説明】
【図１】本発明に係るフイルムスキャナの露出制御方法が適用されたフイルムスキャナを含むシステム全体の概略構成を示す斜視図
【図２】図１のフイルムスキャナに適用されるフイルムカートリジの一例を示す図
【図３】図１のフイルムスキャナの内部構成の実施の形態を示すブロック図
【図４】図３のＣＣＤ回路ユニット１４０における信号処理の一例を説明するためのブロック図
【図５】図５（Ａ）乃至（Ｆ）は第１信号処理回路１５１の各部の出力信号の階調を示す説明図
【図６】本発明に係るフイルムスキャナの露出制御方法の第１の実施の形態を示すフローチャート
【図７】図１に示したフイルムスキャナの作用を説明する為に用いたフローチャート
【図８】図１に示したフイルムスキャナにおいて搬送されるフイルムの搬送シーケンスの一例を示す図
【図９】図９（Ａ）乃至（Ｄ）は図３に示したフイルムスキャナにおけるインデックス画像バッファ、画像データバッファ、表示バッファにおける記憶領域及びモニタＴＶの表示画面を示す図
【図１０】本発明の第２の実施の形態を説明するための図
【図１１】本発明の第３の実施の形態を説明するために用いたネガベース濃度を示すグラフ
【図１２】本発明の第４の実施の形態を説明するための図
【図１３】本発明の第４の実施の形態に係るフイルムスキャナの露出制御方法のフローチャート
【符号の説明】
１００…フイルムスキャナ
１１０…フイルムカートリッジ
１１４…写真フイルム
１１８ａ、１１８ｂ、１１８ｃ…カブリ部分
１４２…ＣＣＤラインセンサ
１４４…ＣＣＤ駆動回路
１４６…アナログアンプ
１５０…Ａ／Ｄコンバータ
１６０…中央処理装置（ＣＰＵ）
１６０Ａ…ＲＡＭ
ＬＢ１、ＬＢ２…ラボ用リザーブエリア
【図１】
0003605812.tif 000002
【図２】
0003605812.tif 000003
【図３】
0003605812.tif 000004
【図４】
0003605812.tif 000005
【図５】
0003605812.tif 000006
【図６】
0003605812.tif 000007
【図７】
0003605812.tif 000008
【図８】
0003605812.tif 000009
【図９】
0003605812.tif 000010
【図１０】
0003605812.tif 000011
【図１１】
0003605812.tif 000012
【図１２】
0003605812.tif 000013
【図１３】
0003605812.tif 000014